(57)【要約】【課題】乗りかご内の利用状況が乗場の利用客による新たな乗り込みが遠慮される状況にある場合に当該利用客による利便性および乗りかごの運転効率を向上させる。【解決手段】乗合全自動運転方式による運転を行なっていて乗場呼び登録がなされている状態で、乗りかご１内の車椅子利用客により専用呼び登録釦３が操作された場合には、専用呼び検出装置６は各階床の報知装置７に報知制御信号を出力する。すると報知装置７は乗りかご１に車椅子利用客が乗っている旨を乗場に報知する。この報知にともなって、乗場の利用客が自身のいる階床へ着床予定の乗りかご１へ乗り込む意思が無い場合に通過登録釦８を操作すると、エレベータ制御装置４は、通過登録釦８の操作元で、かつ呼び登録のある階床への着床制御を行なわずに、乗りかご１を通過させる。通過後は乗合全自動運転方式による運転に復帰する。【選択図】      図１
2008037517.tif 000002
【特許請求の範囲】
【請求項１】
乗合全自動方式により昇降する乗りかご内の予め定められた利用状況を検出する検出手段と、
各階床の乗場に設置される乗場呼び登録釦と、
この検出手段による検出がなされた場合に前記乗場呼び登録釦の操作により乗場呼びが登録された階床の乗場への報知を行なう報知手段と、
各階床の乗場に設置される通過登録釦と、
前記乗場呼びが登録された階床の乗場に設置される前記通過登録釦が前記報知手段による報知後に操作された場合に、当該操作された通過登録釦が設置される階床に対して前記乗りかごを通過させる通過制御手段と、
前記通過した乗りかごを前記乗合全自動方式により前記操作された通過登録釦が設置される階床に応答させる応答制御手段と
を備えたことを特徴とするエレベータ。
【請求項２】
前記乗りかご内の一般客用の第１の行先階登録釦より低い位置に設けられる車椅子利用客用の第２の行先階登録釦をさらに備え、
前記検出手段は、第２の行先階登録釦が操作された際にこれを検出し、
前記報知手段は、前記検出手段による検出がなされた場合に、前記乗場呼び登録釦の操作により乗場呼びが登録された階床の乗場へ前記乗りかご内に車椅子利用客が乗っている旨の報知を行なう
ことを特徴とする請求項１に記載のエレベータ。
【請求項３】
前記乗りかご内のペット同伴者による操作を受け付ける操作釦をさらに備え、
前記検出手段は、前記操作釦が操作された場合にこれを検出し、
前記報知手段は、
前記検出手段による検出がなされた場合に、前記乗場呼び登録釦の操作により乗場呼びが登録された階床の乗場へ前記乗りかご内にペット同伴者が乗っている旨の報知を行なう
ことを特徴とする請求項１に記載のエレベータ。
【請求項４】
前記検出手段は、
前記乗りかご内の荷重が予め定められた条件を満たした場合にこれを検出する荷重検出装置であり、
前記報知手段は、
前記荷重検出装置が前記乗りかご内の荷重が前記条件を満たしたことを検出した場合に、前記乗場呼び登録釦の操作により乗場呼びが登録された階床の乗場へ前記乗りかご内が過荷重にある旨の報知を行なう
ことを特徴とする請求項１に記載のエレベータ。
【発明の詳細な説明】
【技術分野】
【０００１】
本発明は、乗りかごの呼び登録への応答の有無を制御するエレベータに関する。
【背景技術】
【０００２】
従来、複数階床間を運行するエレベータの乗りかごを乗場で待つ利用客は、乗りかごの利用状況を把握していないことが一般的であるため、乗りかごが乗場呼びに応答して戸開した後に当該乗りかごに乗り込むべきか否かを判断する。
【０００３】
例えば、車椅子利用客の為に乗りかご内に設置された専用呼び登録釦を有するエレベータの場合には、乗場で待つ利用客は乗りかごが到着してから車椅子利用客の乗り込みを把握することになる。利用客は、乗りかご内に車椅子利用客が乗っていて空きスペースが狭いなどの理由で乗り込みを遠慮する場合には、この乗りかごが戸閉して出発した後に乗場呼び登録釦を再度操作する。
【０００４】
この場合、乗場にいる利用客は、乗り込む意思のない乗りかごが到着して発車するのを待ってから再度乗場呼びを登録する必要があるため、利用客は常に乗りかごの運行状態を確認しなければならない。
【０００５】
この問題を解決する技術として、例えば特許文献１に開示されたように、乗りかごにペット同伴者が乗り込んでいることを乗場の利用客に報知するとともに、この報知を知った乗場側の利用客による操作にしたがって登録済みの乗場呼びを取り消すことで乗りかごの無駄な停止を回避する技術がある。
【特許文献１】特開２００１−３２２７７５号公報
【発明の開示】
【発明が解決しようとする課題】
【０００６】
前述した特許文献１に開示された技術では、乗場にいる利用客は乗り込む意思のない乗りかごを通過させることができるが、この乗りかごの通過することを確認した上で再度乗場呼びを登録する必要があるため、乗場にいる乗客の利便性は改善されない。
【０００７】
そこで、本発明の目的は、乗りかご内の利用状況が乗場の利用客による新たな乗り込みが遠慮される状況にある場合に当該利用客による利便性および乗りかごの運転効率を向上させることが可能になるエレベータを提供することにある。
【課題を解決するための手段】
【０００８】
すなわち、本発明に係わるエレベータは、乗合全自動方式により昇降する乗りかご内の予め定められた利用状況を検出し、各階床の乗場に乗場呼び登録釦および通過登録釦が設置され、前述した検出がなされた場合に乗場呼び登録釦の操作により乗場呼びが登録された階床の乗場への報知を行ない、乗場呼びが登録された階床の乗場に設置される通過登録釦が前述した報知後に操作された場合に、当該操作された通過登録釦が設置される階床に対して乗りかごを通過させ、この通過した乗りかごを乗合全自動方式により操作済み通過登録釦が設置される階床に応答させることを特徴とする。
【発明の効果】
【０００９】
本発明に係わるエレベータでは、乗りかご内の利用状況が乗場の利用客による新たな乗り込みが遠慮される状況にある場合に当該利用客による利便性および乗りかごの運転効率を向上させることができる。
【発明を実施するための最良の形態】
【００１０】
以下図面により本発明の実施形態について説明する。  
図１は、本発明の実施形態にしたがったエレベータの構成例を示す図である。  
図１に示すように、本発明の実施形態にしたがったエレベータでは、乗りかご１内に一般呼び登録釦２と専用呼び登録釦３が設置され、これらはエレベータ制御装置４に接続される。また、各階床の乗場には乗場呼び登録釦５が設置され、これらはエレベータ制御装置４に接続される。
【００１１】
また、図示はしないが、乗りかご１は、エレベータ制御装置４からの指示にしたがって駆動する巻き上げ機のモータ軸に設けられたシーブに巻き掛けられたロープを介してカウンタウェイトと連結される。乗りかご１は、巻き上げ機の駆動によるシーブの回転に伴い、カウンタウェイトとともに互いに上下反対方向に昇降する。
【００１２】
乗りかご１内の一般呼び登録釦２は、一般客が乗りかご１のかご呼び、つまり行先階登録を行なうための釦である。また、専用呼び登録釦３は、車椅子利用客が乗りかご１の行先階登録を行なうための釦である。専用呼び登録釦３の設置位置は一般呼び登録釦２の設置位置より低く、この設置位置の高さは車椅子利用客による操作を容易に行なえる高さである。
【００１３】
エレベータ制御装置４は、方向性乗合全自動運転方式、いわゆるセレコレ運転にしたがって各階床の乗場呼びやかご呼びに対し順次応答して乗りかご１を昇降させる。エレベータ制御装置４は複数の呼びが登録されている場合には乗りかご１の昇降方向に沿った方向の呼びに順次応答する。また、エレベータ制御装置４は、これらの呼びに全て応答して乗りかご１の昇降方向と反対の方向の呼びがある場合には乗りかご１の昇降方向を反転させ、これらの呼びに順次応答する。
【００１４】
また、各階床の乗場には報知装置７が設置される。この報知装置７は液晶ディスプレイである。専用呼び検出装置６は、専用呼び登録釦３からの信号を入力した際に各階床の報知装置７に乗りかご１を車椅子利用客が利用している旨の報知を指示するための制御信号を出力する。
【００１５】
また、各階床の乗場には乗場呼び登録釦５と併設される形態で通過登録釦８が設置される。通過登録釦８は同一階床にある報知装置７による報知を理由として、この階床の乗場の利用客が着床予定の乗りかご１に乗り込む意思が無い場合に、当該利用客が乗りかご１の通過をエレベータ制御装置４に指示するための釦である。
【００１６】
次に、図１に示した構成のエレベータの動作について説明する。図２は、本発明の実施形態にしたがったエレベータの処理動作の一例を示すフローチャートである。  
ここでは、何れかの階床の乗場呼び登録釦５が乗場の利用客により操作されていると仮定する。この状態で、乗りかご１に乗り込んだ車椅子利用客により乗りかご１内の専用呼び登録釦３が操作された場合（ステップＳ１のＹＥＳ）には、専用呼び検出装置６は、各階床の報知装置７に報知制御信号を出力する。報知装置７は、専用呼び検出装置６からの報知制御信号を入力すると、「車椅子の方が乗っています」とのメッセージを表示させる（ステップＳ２）。
【００１７】
報知装置７による表示により、乗場に設置される乗場呼び登録釦５を既に操作した利用客は乗りかご１内に車椅子利用客がいることを知ることができる。この利用客が乗りかご１内に車椅子利用客がいることを理由として、自身のいる階床へ着床予定の乗りかご１へ乗り込む意思が無い場合に、同一階床の通過登録釦８を操作すると（ステップＳ３のＹＥＳ）、この通過登録釦８から通過登録信号がエレベータ制御装置４に出力される。通過登録信号には出力元の通過登録釦８が設置される階床情報が含まれる。
【００１８】
エレベータ制御装置４は、通過登録釦８からの通過登録信号を入力すると、この通過登録信号の出力元の階床の呼び登録がある場合で、この階床へ乗りかご１が接近した場合でも、この階床へ応答制御を行なわずに、当該乗りかご１を通過させる（ステップＳ４）。
【００１９】
エレベータ制御装置４は、通過登録信号の出力元の階床を通過した後は通常のセレコレ運転に復帰する（ステップＳ５）。エレベータ制御装置４は、通過登録信号の出力元の階床を通過した後も当該通過階の呼び登録を維持しており、当該通過後で、乗りかご１内の車椅子利用客が降車して昇降方向が反転して前述した通過階に再び接近した場合には、この階床に乗りかご１を応答させる。
【００２０】
以上のように、本発明の実施形態にしたがったエレベータでは、乗場の利用客が乗りかご１の到着前に当該乗りかご１内で専用呼び登録釦３が操作されたことを知って、この乗りかご１に乗る意思が無い場合に、この階床の乗場側からの操作にしたがって乗りかご１を通過させることができる。加えて、乗りかご１の通過後も通過階の呼び登録は維持されており、乗りかご１が通過階に再び接近した場合には当該階床に着床するので、乗場の乗客が乗る意思の無い乗りかご１の無駄な停止を避けることが出来る上に、乗場呼び登録を再度行なう必要がなくなる。
【００２１】
次に本発明の実施形態にしたがったエレベータの第１の変形例について説明する。  
図３は、本発明の実施形態にしたがったエレベータの構成の第１の変形例を示す図である。  
この変形例では、乗りかご１内に専用呼び登録釦３の代わりに、かご内登録釦１１が設けられる。かご内登録釦１１は各階床の報知装置７と接続される。
【００２２】
ここでは、かご内登録釦１１は乗りかご１内のペット同伴者が乗りかご１内にペットがいる旨を各階床に知らせる際に操作する釦である。かご内登録釦１１の機能は通常の呼び登録釦とは別の専用釦の操作により実現しても良いし、呼び登録釦の予め定められた手順による操作により実現しても良い。
【００２３】
かご内登録釦１１は、乗りかご１内のペット同伴者により操作されると、操作検出信号を各階床の報知装置７に出力する。  
報知装置７は、かご内登録釦１１からの操作検出信号を入力すると、「ペットが乗りかご内に乗っています」とのメッセージを表示させる。
【００２４】
報知装置７による報知を知った乗場の利用客は、ペットが苦手といった理由により、着床予定の乗りかご１に乗り込む意思が無い場合に同一階床の通過登録釦８を操作すると、この通過登録釦８は通過登録信号をエレベータ制御装置４に出力する。以後の動作は前述した実施形態で説明した動作と同じである。
【００２５】
これにより、乗場の利用客が乗りかご１の到着前に当該乗りかご１内にペットが乗っていることを知って、この乗りかご１に乗る意思が無い場合に、この階床の乗場側からの操作にしたがって乗りかご１を通過させることができる。その後は新たな操作を行なわなくとも、乗りかご１が通過階に再び接近した場合には当該階床に乗りかご１を着床させることができる。
【００２６】
次に本発明の実施形態にしたがったエレベータの第２の変形例について説明する。  
図４は、本発明の実施形態にしたがったエレベータの構成の第２の変形例を示す図である。
【００２７】
この変形例では、乗りかご１内に専用呼び登録釦３の代わりに乗りかご１内の積載荷重を検出する荷重検出装置１２が設けられ、これは各階床の報知装置７と接続される。荷重検出装置１２は乗りかご１内の積載荷重が予め定められた基準値を超えた場合に過荷重検出信号を各階床の報知装置７に出力する。この基準値は、乗りかご１内の運転停止に関わる定格値より低い。
【００２８】
報知装置７は、荷重検出装置１２からの過荷重検出信号を入力すると「乗りかごが混雑しています」とのメッセージを表示させる。  
乗客は、報知装置７により乗りかご１内の過荷重を知って、この乗りかご１に乗り込む意思が無い場合に同一階床の通過登録釦８を操作すると、この通過登録釦８は通過登録信号をエレベータ制御装置４に出力する。以後の動作は前述した実施形態で説明した動作と同じである。
【００２９】
これにより、乗場の利用客が乗りかご１の到着前に当該乗りかご１内が過荷重状態にあることを知って、この乗りかご１に乗る意思が無い場合に、この階床の乗場側からの操作にしたがって乗りかご１を通過させることができる。その後は新たな操作を行なわなくとも、乗りかご１が通過階に再び接近した場合には当該階床に乗りかご１を着床させることができる。
【００３０】
以上説明した実施形態では、報知装置７はメッセージを表示させる構成としたが、これに限らず、音声により報知を行なうようにしてもよい。  
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００３１】
【図１】本発明の実施形態にしたがったエレベータの構成例を示す図。
【図２】本発明の実施形態にしたがったエレベータの処理動作の一例を示すフローチャート。
【図３】本発明の実施形態にしたがったエレベータの構成の第１の変形例を示す図。
【図４】本発明の実施形態にしたがったエレベータの構成の第２の変形例を示す図。
【符号の説明】
【００３２】
１…乗りかご、２…一般呼び登録釦、３…専用呼び登録釦、４…エレベータ制御装置、５…乗場呼び登録釦、６…専用呼び検出装置、７…報知装置、８…通過登録釦、１１…かご内登録釦、１２…荷重検出装置。
【図１】
2008037517.tif 000003
【図２】
2008037517.tif 000004
【図３】
2008037517.tif 000005
【図４】
2008037517.tif 000006